(57)【特許請求の範囲】
【請求項１】
カード基材と、このカード基材の同一面上に、ロイコ染料タイプの熱可逆記録材料からなるリライタブル記録層と、高分子・低分子タイプの熱可逆記録材料からなるリライタブル記録層とを有するリライトカードであって、
上記ロイコ染料タイプの熱可逆記録材料からなるリライタブル記録層の上層に、上記高分子・低分子タイプの熱可逆記録材料からなるリライタブル記録層を、部分的に積層してなることを特徴とするリライトカード。
【請求項２】
カード基材と、このカード基材の同一面上に、ロイコ染料タイプの熱可逆記録材料からなるリライタブル記録層と、高分子・低分子タイプの熱可逆記録材料からなるリライタブル記録層とを有するリライトカードであって、
上記高分子・低分子タイプの熱可逆記録材料からなるリライタブル記録層の上層に、上記ロイコ染料タイプの熱可逆記録材料からなるリライタブル記録層を部分的に積層してなることを特徴とするリライトカード。
【請求項３】
カード基材と、このカード基材の同一面上に、ロイコ染料タイプの熱可逆記録材料からなるリライタブル記録層と、高分子・低分子タイプの熱可逆記録材料からなるリライタブル記録層とを有するリライトカードであって、
上記ロイコ染料タイプの熱可逆記録材料からなるリライタブル記録層と、上記高分子・低分子タイプの熱可逆記録材料からなるリライタブル記録層とは、空気層を介挿して部分的に積層してなることを特徴とするリライトカード。
【発明の詳細な説明】
【０００１】
【発明の属する技術分野】
本発明は、表示文字や図形等からなる情報の書き換えが可能なリライトカードに関するものである。
【０００２】
【従来の技術】
従来より、この種のリライトカードとしては、例えばキャッシュカード、クレジットカード、ポイントカード等があり、これらは、カード表面の熱可逆性記録フィルムの特性を利用して所望の情報をカード表面に表示したり、表示した情報を消去することができ、また、カード裏面の磁気記録層に情報を記録したり、記録した情報の再生を可能とするものとして広く知られている。
【０００３】
ところで、この種のリライトカードには、図５に示すような貼り合わせタイプや、図６に示すようなアルミ蒸着タイプのものがある。
【０００４】
図５に示した貼り合わせタイプのリライトカード１は、所定の温度で透明と白濁の可逆的な色相変化が生じる透明・白濁型の熱可逆性記録フィルム３と磁気ＰＥＴ１７とを接着剤１８で貼り合わせた構造であって、印字領域には接着剤を塗布せずに空気層を形成させ、熱可逆性記録フィルム３の白濁により形成される白濁色の文字などをより一層鮮明に表示する。
【０００５】
なお、熱可逆性透明フィルム３は、高分子・低分子タイプの熱可逆記録材料等からなる透明・白濁型リライタブル記録層９の表面を、保護層９で被覆し保護するとともに、当該透明・白濁型リライタブル記録層９の裏面に、磁気ＰＥＴ１７との間で空気層を形成するシート状の透明ＰＥＴ８を設けた物である。一方、磁気ＰＥＴ１７は、カード基材として機能するシート状の白色ＰＥＴ４の表面に、黒１色または、赤、青、緑などの有彩色１色やフルカラー印刷を施したバック印刷層７（熱可逆性記録フィルム３の可逆変化により、形成される白濁色の文字等の背景となる層）を設けるとともに、当該白色ＰＥＴ４の裏面には磁気層１６が設けられ、この磁気層１６は保護層６で被覆保護されている。なお、カード表裏面の保護層６、６には文字や図形等の情報が印刷され印刷層１２を形成している。
【０００６】
図６に示したアルミ蒸着タイプのリライトカード１は、シート状ＰＥＴ等をカード基材１９とし、カード基材１９の表面側に、アルミニウム蒸着法などにより形成される光反射層１５と、透明・白濁型リライタブル記録層９と、保護層６とを順に積層形成するとともに、カード基材１９の裏面側に、磁気層１６と保護層６を順に積層形成したものであり、カード表裏面の保護層６、６の上には所定の情報が印刷され印刷層１２を形成している。
【０００７】
【発明が解決しようとする課題】
しかしながら、図５及び図６に示した従来のリライトカード１にあっては、いずれも、カードの同一面上で発色・消色が可能な色相（色あい）は一色、すなわち透明・白濁型リライタブル記録層９の可逆変化による白濁色しかなく、この一色で文字や絵柄などの情報を必要に応じて書き換え可能に表示するだけのものであるため、例えばカードの同一面上に表示した情報のうち、特に強調したいメッセージ等を他の情報部分とは別の異なる色で書き換えることができない。
【０００８】
本発明は上述の事情に鑑みてなされたもので、その目的とするところは、カードの同一面上において、強調メッセージ等のように差別化したい情報を、他の情報部分とは異なる色で書き換え可能に表示できるリライトカードを提供することにある。
【０００９】
【課題を解決するための手段】
上記目的を達成するために、請求項１記載の発明は、カード基材と、このカード基材の同一面上に、ロイコ染料タイプの熱可逆記録材料からなるリライタブル記録層と、高分子・低分子タイプの熱可逆記録材料からなるリライタブル記録層とを有するリライトカードであって、上記ロイコ染料タイプの熱可逆記録材料からなるリライタブル記録層の上層に、上記高分子・低分子タイプの熱可逆記録材料からなるリライタブル記録層を、部分的に積層してなることを特徴とするものである。
【００１０】
請求項２記載の発明は、カード基材と、このカード基材の同一面上に、ロイコ染料タイプの熱可逆記録材料からなるリライタブル記録層と、高分子・低分子タイプの熱可逆記録材料からなるリライタブル記録層とを有するリライトカードであって、上記高分子・低分子タイプの熱可逆記録材料からなるリライタブル記録層の上層に、上記ロイコ染料タイプの熱可逆記録材料からなるリライタブル記録層を部分的に積層してなることを特徴とするものである。
【００１１】
請求項３記載の発明は、カード基材と、このカード基材の同一面上に、ロイコ染料タイプの熱可逆記録材料からなるリライタブル記録層と、高分子・低分子タイプの熱可逆記録材料からなるリライタブル記録層とを有するリライトカードであって、上記ロイコ染料タイプの熱可逆記録材料からなるリライタブル記録層と、上記高分子・低分子タイプの熱可逆記録材料からなるリライタブル記録層とは、空気層を介挿して部分的に積層してなることを特徴とするものである。
【００１２】
請求項１および請求項２記載の発明では、カードの同一面上において、ロイコ染料タイプである発色・消色型リライタブル記録層に基づく黒色または赤色等の有彩色と、高分子・低分子タイプである透明・白濁型リライタブル記録層に基づく白濁色との、少なくとも２色の発色が可能となり、いずれも、文字や図形などの情報を複色で書き換え可能に表示することができる。
【００１３】
【発明の実施の形態】
以下、本発明に係るリライトカードの実施形態について図１乃至図４を基に詳細に説明する。
【００１４】
図１は本発明のリライトカードを名刺カードに適用した実施形態を示したものである。同図に示す名刺カードとしてのリライトカード１は、ロイコ染料型の熱可逆性記録フィルム２の表面上に、部分的に、高分子・低分子型の熱可逆性記録フィルム３を貼り付けた構造である。
【００１５】
ロイコ染料型の熱可逆性記録フィルム２は、カード基材として機能するシート状の白色ＰＥＴ４上に、ロイコ染料タイプの熱可逆記録材料からなる発色・消色型リライタブル記録層５を積層形成するとともに、発色・消色型リライタブル記録層５の表面を保護層６により被覆し保護する構成を採用している。
【００１６】
発色・消色型リライタブル記録層５は、ロイコ染料を主成分とするもので、加熱後に急冷を行うと、消色状態（透明）から発色して黒色又は赤色又は青色等の発色状態が固定され、一方、徐冷を行うと、発色状態から消色状態に可逆的に変化し、その２形態の変化が常温でも維持される。
【００１７】
上記保護層６の表面の一部には、黒一色または赤、青、緑等の有彩色一色又はフルカラーの印刷を施したバック印刷層７が設けられており、このバック印刷層７は、高分子・低分子型の熱可逆性記録フィルム３中に、その熱可逆変化による白濁色の文字や図形等が形成表示されたとき、当該白濁色の文字や図形等の背景となる。
【００１８】
高分子・低分子型の熱可逆性記録フィルム３は、シート状の透明ＰＥＴ８上に、高分子・低分子タイプの熱可逆記録材料からなる透明・白濁型リライタブル記録層９を積層形成するとともに、透明・白濁型リライタブル記録層９の表面を保護層６により被覆し保護する構成を採用している。
【００１９】
透明・白濁型リライタブル記録層９は、所定の温度により透明状態から白濁状態へと可逆的に変化し、その２形態の変化が常温でも維持される。
【００２０】
上述の通り、ロイコ染料型の熱可逆性記録フィルム２のバック印刷層７は、高分子・低分子型の熱可逆性記録フィルム３中に形成表示される白濁色の文字や図形の背景となるものである。したがって、高分子・低分子型の熱可逆性記録フィルム３は、ロイコ染料型の熱可逆性記録フィルム２の表面上で、かつバック印刷層７を設けた部分に貼着される。このように貼着すると、発色・消色型リライタブル記録層５の上層部に、部分的に、バック印刷層７とその上に配置される透明・白濁型リライタブル記録層９とを有することになる。
【００２１】
ところで、ロイコ染料型の熱可逆性記録フィルム２と、高分子・低分子型の熱可逆性記録フィルム３との貼着は、ロイコ染料型の熱可逆性記録フィルム２のバック印刷層７を形成した側と、高分子・低分子型の熱可逆性記録フィルム３の透明ＰＥＴ８側とを接着剤（接着剤層１０）で接着固定することにより行われる。また、このように接着固定した状態のとき、ロイコ染料型の熱可逆性記録フィルム２のバック印刷層７と、高分子・低分子型の熱可逆性記録フィルム３の透明ＰＥＴ８との間には一定容量の空気層１１が形成される。空気層１１は従来技術でも述べた通り、高分子・低分子型の熱可逆性記録フィルム３中に形成表示される白濁色の文字などを、より一層鮮明な表示とするために設けられる。
【００２２】
なお、ロイコ染料型の熱可逆性記録フィルム２の表面上で、かつ高分子・低分子型の熱可逆性記録フィルム３を貼着していない部分には白黒やカラー印刷等による印刷層１２が、また、ロイコ染料型の熱可逆性記録フィルム２の裏面にもカラー印刷等による印刷層１２が設けられている。
【００２３】
次に、上記の如く構成されたリライタブルカード１の使用例とその作用効果について図１を用いて説明する。
【００２４】
一般に、名刺においては氏名、住所等の他、自己ＰＲ用の強調メーッセージ（例えば「私はリライトカードの開発業務を担当しています。」）等のタイムリーな情報を書き換え可能に表示したい場合も生じる。この種の強調メッセージは、カードの同一面上に表示されている他の一般的な情報とは異なる色彩で差別化し、看者の視覚に訴えるものであることが重要である。
【００２５】
本実施形態のリライタブルカード１は上記要求に答えることができる。すなわち、本実施形態のリライタブルカード１は、ロイコ染料型の熱可逆性記録フィルム２の上層部に、部分的に、高分子・低分子型の熱可逆性記録フィルム３を積層した構造であるため、カードの同一面上で、発色・消色型リライタブル記録層５に基づく黒色または赤色等の有彩色と、透明・白濁型リライタブル記録層９に基づく白濁色との２色の発色が可能である。従って、一般的な情報１３は高分子・低分子型の熱可逆性記録フィルム３中に白濁の文字や図形などで表示し、これとは別に特殊な情報１４として、自己ＰＲ等のタイムリーな強調メッセージ等については、ロイコ染料型の熱可逆性記録フィルム２中に黒色または赤色等の有彩色で書き換え可能に表示することができる。
【００２６】
なお、図１に示した実施形態は、発色・消色型リライタブル記録層５の上層に、部分的に、透明・白濁型リライタブル記録層９を設けたものであるが、図２に示すように、透明・白濁型リライタブル記録層９の上層に、部分的に、発色・消色型リライタブル記録層５を設けてもよく、このような積層構造の場合にも上記と同様な効果が得られる。この図２に示す実施形態では、透明・白濁型リライタブル記録層９の表面を保護層９で被覆保護し、その保護層９の上に発色・消色型リライタブル記録層５を積層している。また、透明・白濁型リライタブル記録層９の下層には光反射層１５としてアルミ蒸着層が設けられており、アルミ蒸着層からなる光反射層１５は、発色・消色型リライタブル記録層５によって形成される黒色または赤色等の有彩色からなる文字や図形、並びに透明・白濁型リライタブル記録層９によって形成される白濁色の文字や図形等の背景を構成する。
【００２７】
図１および図２に示した実施形態は、発色・消色型リライタブル記録層５と透明・白濁型リライタブル記録層９との間に、保護層６等を介挿した積層構造であるが、例えば、図３に示す如く、発色・消色型リライタブル記録層５の直下に透明・白濁型リライタブル記録層９が位置する積層構造、あるいは図示は省略するが、透明・白濁型リライタブル記録層の直下に発色・消色型リライタブル記録層が位置する積層構造を採用し、図１に示すような保護層６、バック印刷層７、透明ＰＥＴ８または図２に示すような保護層６を省略することもできる。この図３に示す実施形態では、図２に示す実施形態と同じく、背景となる光反射層１５（アルミ蒸着層）を透明・白濁型リライタブル記録層９の下層に設けている。
【００２８】
ところで、図１乃至図３に示した実施形態は、いずれもカードの同一面上に文字や図形等を２色またはそれ以上の色で書き換え可能に表示するための構成であるが、このような目的を達成するための構成としては、例えば図４に示すような構造を採用することもできる。すなわち、図１乃至図３に示したロイコ染料タイプの熱可逆記録材料からなる発色・消色型リライタブル記録層５は、加熱と冷却の条件により、消色状態から発色状態へと可逆的に変化できるものであり、その発色の色彩は、使用するロイコ染料の種類によって、黒色または赤色、青色等を適宜選択できる。従って、図４に示す如く、シート状の白色ＰＥＴ４等からなるカード基材の同一面上に、例えば赤色と黒色のように、発色時の色彩が異なる２種の発色・消色型リライタブル記録層５、５を並設した場合には、右と左では発色時の色彩が異なるので、カードの同一面上に、文字や図形等の情報を２色で書き換え可能に表示することが可能となる。さらに、カード基材（白色ＰＥＴ４）の同一面上には、発色時の色彩が異なる発色・消色型リライタブル記録層を２種以上設けることもでき、この場合には２色以上で文字や図形等の情報を書き換え可能に表示することが可能となる。また、発色の色彩の組み合わせは、赤色と黒色に限定されることはなく、赤色と青色、あるいは青色と黒色のように各種の組み合わせを採用することができる。
【００２９】
上記実施形態は、本発明を名刺カードに適用した例であるが、本発明は名刺カードに限られず、各種のカード、例えばキャッシュカード、クレジットカード、ポイントカード等に適用することができる。なお、図２乃至図４に示した実施形態は、いずれもカード裏面に磁気層１６を有する磁気カードとして構成したものである。
【００３０】
上記実施形態では、発色・消色型リライタブル記録層５をロイコ染料タイプの熱可逆記録材料から構成したが、これに相当するその他の材料で発色・消色型リライタブル記録層５を形成することも可能である。また、同図に示した実施形態では、透明・白濁型リライタブル記録層９を高分子・低分子タイプの熱可逆記録材料から構成したが、これに相当するその他の材料で透明・白濁型リライタブル記録層９を形成することも可能である。
【００３１】
【発明の効果】
請求項１に記載の発明は、基材の同一面上に、発色時の色彩が異なる複数のリライタブル記録層を備えてなる構造を採用したものである。このため、カードの同一面上において、複色の発色が可能となり、文字や図形などの情報を複色で書き換え可能に表示することができる。したがって、特に、強調メッセージ等のように差別化したい情報を、他の情報部分とは異なる色で書き換え、タイムリーな自己ＰＲなどを効果的に行う場合に好適である等の効果を有する。
【００３２】
請求項２および請求項３に記載の発明は、▲１▼発色・消色型リライタブル記録層の上層部に、部分的に、透明・白濁型リライタブル記録層を積層した構造、若しくは▲２▼透明・白濁型リライタブル記録層の上層部に、部分的に、発色・消色型リライタブル記録層を積層した構造を採用したものである。これらもまた、カードの同一面上において、発色・消色型リライタブル記録層に基づく黒色又は赤色又は青色等の有彩色と、透明・白濁型リライタブル記録層に基づく白濁色との、少なくとも２色の発色が可能となり、文字や図形などの情報を複色で書き換え可能に表示することができ、上記と同様な効果が得られる。
【図面の簡単な説明】
【図１】（ａ）は本発明に係るリライトカードの一実施形態を示す断面図、（ｂ）は同リライトカードの平面図である。
【図２】本発明の他の実施形態を示す断面図。
【図３】本発明の他の実施形態を示す断面図。
【図４】本発明の他の実施形態を示す断面図。
【図５】従来のリライトカード（貼り合わせタイプ）の断面図。
【図６】従来のリライトカード（アルミ蒸着タイプ）の断面図。
【符号の説明】
１  リライトカード
２  ロイコ染料型の熱可逆性記録フィルム
３  高分子・低分子型の熱可逆性記録フィルム
４  白色ＰＥＴ
５  発色・消色型リライタブル記録層
６  保護層
７  バック印刷層
８  透明ＰＥＴ
９  透明・白濁型リライタブル記録層
１０  接着剤層
１１  空気層
１２  印刷層
１３  一般的な情報
１４  特殊な情報
１５  光反射層（アルミ蒸着層）
１６  磁気層
１７  磁気記録フィルム（磁気ＰＥＴ）
１８  接着剤
１９  カード基材（白色ＰＥＴ）
【図１】
0004049231.tif 000002
【図２】
0004049231.tif 000003
【図３】
0004049231.tif 000004
【図４】
0004049231.tif 000005
【図５】
0004049231.tif 000006
【図６】
0004049231.tif 000007